(57)【特許請求の範囲】
【請求項１】
入力データを記録媒体に記録する映像記録再生用デジタル機器において、記録時において、所定単位の入力データ毎に、所定単位の入力データと当該記録媒体に関する記録可否判定用情報とを記録媒体の入力データ記憶領域に記録する手段を備えていることを特徴とする映像記録再生用デジタル機器。
【請求項２】
記録開始指令入力時において、記録媒体から記録可否判定用情報を読み出し、読み出した記録可否判定用情報に基づいて、現時点で当該記録媒体への入力データの記録が可能であるかを判定する手段、およびその判定結果を表示する手段を備えていることを特徴とする請求項１に記載の映像記録再生用デジタル機器。
【請求項３】
現時点で当該記録媒体への入力データの記録が不可能であると判定された場合に、当該記録媒体への記録を禁止させる手段を備えていることを特徴とする請求項２に記載の映像記録再生用デジタル機器。
【請求項４】
記録媒体の記録可否チェック指令を入力させるための入力手段、記録媒体の記録可否チェック指令が入力されたときに、記録媒体から記録可否判定用情報を読み出し、読み出した記録可否判定用情報に基づいて、現時点で当該記録媒体への入力データの記録が可能であるかを判定する手段、およびその判定結果を表示する手段を備えていることを特徴とする請求項１に記載の映像記録再生用デジタル機器。
【請求項５】
記録媒体に関する記録可否判定用情報が、記録情報の保管期間の下限値、記録可能な機器のグループ番号、繰り返し記録回数の上限値、記録日時および実際の繰り返し記録回数であることを特徴とする請求項１、２、３および４のいずれかに記載の映像記録再生用デジタル機器。
【請求項６】
映像記録再生用デジタル機器がデジタルＶＴＲであり、記録媒体が磁気テープであることを特徴とする請求項１、２、３、４および５のいずれかに記載の映像記録再生用デジタル機器。
【発明の詳細な説明】
【０００１】
【発明の属する技術分野】
この発明は、デジタルＶＴＲ等の映像記録再生用デジタル機器に関する。
【０００２】
【従来の技術】
監視カメラの映像を磁気テープに間欠的に記録するＶＴＲが知られている。このようなＶＴＲに用いられる磁気テープには、一般的に次のような記録制限がつけられる。
【０００３】
（１）記録された情報を一定期間以上保管すること。
（２）決められたグループの機器でのみ記録可能とすること。
（３）繰り返し記録回数を所定回数以下にすること。
【０００４】
このような記録制限を守って磁気テープを適正に使用するために、記録制限に関する情報（記録制限情報）は、記録日時、実際の繰り返し記録回数等の情報とともに、記録可否判定用情報として磁気テープ自体に記録されている。
【０００５】
記録制限情報としては、保管期間の下限値、記録可能な機器のグループ番号および繰り返し記録回数の上限値がある。
【０００６】
従来においては、記録可否判定用情報は、磁気テープの先頭部分のＣＴＬトラックにのみ記録されている。このように、従来においては、記録可否判定用情報は磁気テープの先頭部分にのみ記録されているため、記録開始時には現時点で当該磁気テープへの記録が可能か否かを確認するために、磁気テープをテープトップまで巻き戻してから記録可否判定用情報を読み取る必要があった。単に記録可否をチェックしたいときも、同様に磁気テープをテープトップまで巻き戻してから記録可否判定用情報を読み取る必要があった。
【０００７】
このように、記録可否を判定する必要がある記録開始時や、単に記録可否をチェックしたい場合に、磁気テープをテープトップまで巻き戻す必要があるため、時間がかかるという問題がある。
【０００８】
デジタルＶＴＲでは、データ記録領域にブロック単位毎に入力データが記録されるが、デジタルＶＴＲとしてデータ記録領域に記録されたブロック単位のデータを正常に再生するための再生制御情報（実施の形態で説明するスタートマーク，エンドマーク等）が、そのブロック単位のデータが記録されたデータ記録領域に対応するＣＴＬトラックに記録されるものがある。このような、デジタルＶＴＲでは、記録可否判定用情報が記録されたＣＴＬトラックに対応するデータ記録領域には、入力データを記録できなくなるという問題がある。
【０００９】
【発明が解決しようとする課題】
この発明は、記録可否を判定する必要がある記録開始時や、単に記録可否をチェックしたい場合に、従来に比べて時間がかからなくなるようになる映像記録再生用デジタル機器を提供することを目的とする。
【００１０】
【課題を解決するための手段】
この発明による映像記録再生用デジタル機器は、入力データを記録媒体に記録する映像記録再生用デジタル機器において、記録時において、所定単位の入力データ毎に、所定単位の入力データと当該記録媒体に関する記録可否判定用情報とを記録媒体の入力データ記憶領域に記録する手段を備えていることを特徴とする。
【００１１】
記録開始指令入力時において、記録媒体から記録可否判定用情報を読み出し、読み出した記録可否判定用情報に基づいて、現時点で当該記録媒体への入力データの記録が可能であるかを判定する手段、およびその判定結果を表示する手段を備えていることが好ましい。
【００１２】
現時点で当該記録媒体への入力データの記録が不可能であると判定された場合に、当該記録媒体への記録を禁止させる手段を備えていることが好ましい。
【００１３】
記録媒体の記録可否判定指令を入力させるための入力手段、記録媒体の記録可否判定指令が入力されたときに、記録媒体から記録可否判定用情報を読み出し、読み出した記録可否判定用情報に基づいて、現時点で当該記録媒体への入力データの記録が可能であるかを判定する手段、およびその判定結果を表示する手段を備えていることが好ましい。
【００１４】
記録媒体に関する記録可否判定用情報は、たとえば、記録情報の保管期間の下限値、記録可能な機器のグループ番号、繰り返し記録回数の上限値、記録日時および実際の繰り返し記録回数である。
【００１５】
映像記録再生用デジタル機器はたとえばデジタルＶＴＲである。この場合には、記録媒体は磁気テープである。
【００１６】
【発明の実施の形態】
以下、図面を参照して、この発明をデジタルＶＴＲで使用される磁気テープに適用した場合の実施の形態について説明する。
【００１７】
〔１〕デシタルＶＴＲの構成の説明
【００１８】
図１は、デシタルＶＴＲの構成を示している。
【００１９】
デジタルＶＴＲは、ビデオ処理部１、オーディオ処理部２、メモリ３、フォーマッタ４、サブ制御部５、電磁変換部６、メイン制御部７等を備えている。
【００２０】
メイン制御部７は、マイクロコンピュータで構成され、システムコントローラの機能とサーボブロックの機能とを備えている。メイン制御部７は、キャプスタン用周波数発生器（ＣＦＧ）１０１の出力、ＣＴＬ信号等に基づいてキャプスタンモータ１００を制御するとともに、ドラム用位相発生器（ＤＰＧ）２０１の出力、ドラム用周波数発生器（ＤＦＧ）２０２の出力等に基づいてドラムモータ２００を制御する。
【００２１】
メイン制御部７内のＣＴＬ録再回路７ａは、記録時には、ＣＴＬヘッド３０１を用いて磁気テープ（磁気テープ）３００のコントロールトラックにＣＴＬ信号を記録し、再生時には、ＣＴＬヘッド３０１を用いて磁気テープ３００のコントロールトラックからＣＴＬ信号を読み取る。
【００２２】
ビデオ処理部１は、デコーダ１１、エンコーダ１２、ＪＰＥＧ規格の圧縮／伸長器１３および圧縮／伸長処理用のメモリ１４から構成される。メモリ１４は、１フィールド分の容量をそれぞれ有しかつ入力データが交互に書き込まれる領域Ｉ、ＩＩおよびＪＰＥＧ圧縮後のデータを格納する領域ＩＩＩに分割されている。
【００２３】
オーディオ処理部２はフィルタ２１、Ａ／Ｄ変換器２２、Ｄ／Ａ変換器２３、ＰＣＭエンコーダ／デコーダ２４およびＦＩＦＯメモリ２５から構成される。サブ制御部５はＣＰＵ５１、ＦＰＧＡ５２から構成される。ビデオ処理部１、オーディオ処理部２、メモリ３、フォーマッタ４およびサブ制御部５は、データバスライン８を介して互いに接続されている。サブ制御部５はメイン制御部７と接続されている。
【００２４】
〔２〕記録動作についての説明
【００２５】
ＶＴＲの記録動作について説明する。この実施の形態では、磁気テープへの記録フォーマットをＤ−ＶＨＳ、記録ブロックを３６６トラック、メモリ３の容量を６４Ｍビット（８Ｍバイト）とする。
【００２６】
記録時にはメイン制御部７は、キャプスタンモータ１００及びドラムモータ２００を一定速度で回転させるように制御する。また、ＣＴＬ録再回路７ａによって磁気テープ３００のコントロールトラックにＣＴＬ信号を記録する。
【００２７】
図示しない監視カメラ（ビデオカメラ）からのＮＴＳＣ方式のコンポジットビデオ信号、または輝度／色信号に分離されたＹ／Ｃコンポーネント信号は、デコーダ１１に入力される。デコーダ１１は、入力されたビデオ信号をＹＵＶ変換し、得られたＹＵＶ信号をＡ／Ｄ変換する。
【００２８】
デコーダ１１によって得られたＹＵＶデジタルデータは、ＪＰＥＧ規格で入出力データを圧縮伸長する圧縮／伸長器１３に送られる。圧縮／伸長器１３はＣＰＵ５１からデータバスライン８を経由して送られてくる録画間隔情報により、指示されたフィールド毎のＹＵＶデジタルデータをメモリ１４の領域Ｉ、ＩＩに交互に取り込む。メモリ１４に取り込まれたＹＵＶデジタルデータは、圧縮／伸長器１３によって圧縮される。圧縮後の圧縮ビデオデータはメモリ１４の領域ＩＩＩに書き込まれる。
【００２９】
メモリ１４の領域ＩＩＩに書き込まれた１フィールド分の圧縮ビデオデータは、ＣＰＵ５１からデータバスライン８を経由して送られてくる制御命令に基づき、圧縮／伸長器１３によってメモリ１４の領域ＩＩＩから読み出され、データバスライン８を経由して、メモリ３に書き込まれる。この際、ＦＰＧＡ５２によってＱテーブルデータ、映像データ領域を識別するための領域識別コードが圧縮ビデオデータに付加されてメモリ３に書き込まれる。
【００３０】
一方、監視カメラ（図示略）からのオーディオ信号はオーディオ処理部２内のフィルタ２１に連続して入力される。フィルタ２１は、オーディオ信号の高域ノイズ成分を除去し、帯域制限されたオーディオ信号をＡ／Ｄ変換器２２に出力する。Ａ／Ｄ変換器２２は、帯域制限されたオーディオ信号をＡ／Ｄ変換する。Ａ／Ｄ変換器２２によって得られたデジタルオーディオ信号は、ＰＣＭエンコーダ／デコーダ２４に連続して送られる。
【００３１】
ＰＣＭエンコーダ／デコーダ２４は、送られてきたデジタルオーディオ信号を、ＰＣＭ方式により圧縮する。圧縮後の圧縮オーディオデータは、ＦＩＦＯメモリ２５に書き込まれる。ＦＩＦＯメモリ２５は、上記録画間隔毎に書き込まれた圧縮オーディオデータを読み出し、データバスライン８を経由してメモリ３に書き込む。この際、ＦＰＧＡ５２によってオーディオデータ領域を識別するための領域識別コードが圧縮オーディオデータに付加されてメモリ３に書き込まれる。また、ＣＰＵ５１から付加情報もメモリ３へ蓄えられる。
【００３２】
付加情報には、当該磁気テープに対して記録を行えるか否かを判定するための記録可否判定用情報が含まれている。記録可否判定用情報には、次のような情報がある。
【００３３】
（１）記録情報の保管期間の下限値（記録制限情報）
（２）記録可能な機器のグループ番号（記録制限情報）
（３）繰り返し記録回数の上限値（記録制限情報）
（４）記録日時
（５）実際の繰り返し記録回数
【００３４】
メモリ３に所定の記録ブロック単位に応じたデータ（実データ）が蓄積される毎に、その実データ（圧縮ビデオデータ、圧縮オーディオデータ、付加情報）が読み出され、データバスライン８を経由して、フォーマッタ４に送られる。この例では、１記録ブロックは３６６トラック分のデータからなり、後述するように、そのうち２８８トラック分のデータが実データであるので、２８８トラック分のデータがメモリ３に蓄積される毎に、そのデータが読み出されてフォーマッタ４に送られる。
【００３５】
フォーマッタ４によりフォーマット変換されたデータは電磁変換部６に送られ、電磁変換部６内の記録アンプおよびビデオヘッドを介して磁気テープ３００に記録される。１記録ブロック単位のデータの記録が終了する毎に、磁気テープは停止せしめられる。
【００３６】
図２は、磁気テープに記録される１フィールド分のデータに対するフォーマットを示している。
【００３７】
１フィールド分のデータブロックは、ヘッダ部８１、オーディオデータ部８２および映像データ部８３からなる。
【００３８】
ヘッダ部８１には、記録可否判定用情報、アラーム情報、カメラ番号等の付加情報、量子化テーブル（Ｑテーブル）、音声付加データ等が含まれている。つまり、この実施の形態では、記録制限情報を含む記録可否判定用情報は、１フィールド単位のデータブロック毎に記録されている。ヘッダ部８１の先頭には、ヘッダ部８１の先頭であることを示すフレームヘッダＡが挿入されている。オーディオデータ部８２の先頭にはオーディオデータ領域であることを識別するための領域識別コードＢが挿入されている。映像データ部８３の先頭には映像データ領域であることを識別するための領域識別コードＣが挿入されている。映像データ部８３の最後には、映像データ部の最後であることを示すエンドコードＤが挿入されている。
【００３９】
図３は、磁気テープに記録される１記録ブロックの構成およびＣＴＬマーキングの構成を示している。
【００４０】
１記録ブロックは、図３（ａ）に示すように、３６６トラック分（１６８ＣＴＬ分）のデータからなり、複数フィールド数分のデータを含んでいる。１記録ブロックは、３２トラック分（１６ＣＴＬ分）の前側ダミーデータ部、それに続く２８８トラック分（１４４ＣＴＬ分）の実データ部および１６トラック分（８ＣＴＬ分）の後側ダミーデータ部とからなる。
【００４１】
また、１記録ブロックに対応するＣＴＬマーキングは、図３（ｂ）に示すように、”０”を示す先頭の８ＣＴＬ、それに続くスタートマークを表す８ＣＴＬ、それに続く”０”を示す１４４ＣＴＬおよびそれに続くエンドマークを表す８ＣＴＬからなる。スタートマークはＶＨＳ規格によるＶＩＳＳ／ＶＡＳＳ信号のショートＳの”０”、”１”を使用した”１０１０１０１０”から構成される。エンドマークはＶＨＳ規格によるＶＩＳＳ／ＶＡＳＳ信号のロングＬの”０”、”１”を使用した”１０１０１０１０”から構成される。
【００４２】
ＶＨＳ規格ではショートＳの”０”のＮ極書き込み時間とＳ極書き込み時間との比は５７．５：４２．５と定義され、ショートＳの”１”のＮ極書き込み時間とＳ極書き込み時間との比は２５．０：７５．０と定義されている。また、ロングＬの”０”のＮ極書き込み時間とＳ極書き込み時間との比は６２．５：３７．５と定義され、ロングＬの”１”のＮ極書き込み時間とＳ極書き込み時間との比は３０．０：７０．０と定義されている。スタートマークおよびエンドマーク以外の”０”としては、ＶＨＳ規格で規格されているショートＳまたはロングＬの”０”が用いられている。
【００４３】
なお、ＣＴＬ信号のスタートマークを、１記録ブロックの先頭に相当する位置に記録せずに、”０”のＣＴＬが８つ出力された後に記録させるようにしているのは、次のような理由による。つまり、このＶＴＲでは、再生時において、磁気テープは１記録ブロック分の再生が行なわれる毎に磁気テープ３００の走行が停止せしめられる。このため、再生時において１記録ブロックの最初の部分はエンベロープが安定しないので、その不安定な位置にスタートマークを記録すると、スタートマークの検出ミスが発生するおそれがある。そこで、１記録ブロックの先頭に相当する位置よりも後位置にスタートマークを記録しているのである。
【００４４】
図４は、記録動作開始後に、メモリ３内に１記録ブロック内の実データ総量に相当するデータが書き込まれたときの各部の信号を示している。
【００４５】
図４において信号MEMORY FULL は、メモリ３に１記録ブロック内の実データ総量に相当するデータが書き込まれたときにＨレベルとされ、その所定容量分のデータが読み出されたときにＬレベルにされる信号を示している。この信号MEMORY FULL は、サブ制御部５によって生成されて、メイン制御部７に送られる。この信号MEMORY FULL は、記録時には１記録ブロックの記録開始トリガ信号となり、再生時には１記録ブロックの再生開始トリガ信号となる。
【００４６】
信号SW TR は、フォーマッタ４より作成される位相サーボ用基準信号を示している。この信号SW TR は、フォーマッタ４からメイン制御部７に送られる。
【００４７】
信号MC ON は、キャプスタンモータ１００の駆動指令信号を示しており、メイン制御部７によって生成される。
【００４８】
信号CTL は、記録時には磁気テープ３００に記録されるＣＴＬ信号を示し、再生時には磁気テープ３００から読み出されるＣＴＬ信号を示している。
【００４９】
信号FORMATTER は、メイン制御部７からフォーマッタ４に送られるコントロール信号およびフォーマッタ４の状態を示す信号を示している。
【００５０】
信号VD RECは、フォーマッタ４から電磁変換部６内のビデオヘッドに送られる記録指示信号を示している。
【００５１】
信号FORMATTER USE は、記録時にはメモリ３内の実データをフォーマッタ４に送るための送信指令信号を示し、再生時にはフォーマッタ４からメモリ３に実データを送るための送信指令信号を示している。この信号FORMATTER USE は、メイン制御部７によって生成され、サブ制御部５に送られる。
【００５２】
信号RD DATA は、フォーマッタ４から電磁変換部６に送られる記録データを示している。
【００５３】
記録動作開始後に、メモリ３内に１記録ブロック内の実データ総量に相当するデータが書き込まれると、サブ制御部５からメイン制御部７に送られるMEMORY FULL がＨレベルとなる。
【００５４】
MEMORY FULL がＨレベルとなると（時点ｔ１）、この後のSW TR の立ち下がりタイミングで（時点ｔ２）、メイン制御部７は、信号MC ON をＨレベルにさせて、キャプスタンモータ１００を駆動させる。また、メイン制御部７は、サブ制御部５を介してフォーマッタ４に記録開始指令(REC指令) を送信する。
【００５５】
フォーマッタ４は、記録開始指令を受信すると、記録動作モードとなり、RD DATA で示すようにダミーデータを出力するとともに、VD RECをＨレベルにさせるので、電磁変換部６内のビデオヘッドによってダミーデータの磁気テープ３００への記録が開始せしめられる。また、ＣＴＬ録再回路７ａによるＣＴＬ信号の磁気テープ３００への記録が開始する。
【００５６】
この後、メイン制御部７は、所定のタイミング（ｔ３）で、サブ制御部５に送られているFORMATTER USE をＨレベルにさせる。FORMATTER USE がＨレベルとなると、メモリ３からフォーマッタ４への実データの送信が開始される。Ｄ−ＶＨＳ規格のフォーマッタ４ではＤ−ＶＨＳのフォーマットにおいて６トラックシーケンスを守る必要があるためフォーマッタ４の内部にメモリを持っており、フォーマッタ４に送られたデータは一旦メモリに格納された後、RD DATA で示すように遅延されて出力される。したがって、実データは、時点ｔ３より所定時間遅れた時点ｔ４から、磁気テープ３００に記録され始める。
【００５７】
ＣＴＬ信号のスタートマークは、上述したように、再生時にエンベロープが安定する位置、すなわち、”０”のＣＴＬが８つ出力された後に出力されて、磁気テープ３００に記録される。
【００５８】
図５は、メモリ３から１記録ブロック内の実データ総量に相当するデータが全て読み出されたときの各部の信号を示している。
【００５９】
メモリ３から１記録ブロック内の実データ総量に相当するデータが全て読み出されると、サブ制御部５からメイン制御部７に送られるMEMORY FULL がＬレベルとなる。
【００６０】
MEMORY FULL がＬレベルとなると（時点ｔ５）、メイン制御部７は、サブ制御部５に送られているFORMATTER USE をＬレベルにする。FORMATTER USE がＬレベルとなると、メモリ３からフォーマッタ４への実データの送信が停止せしめられる。ただし、上述したように、フォーマッタ４に送られたデータは遅延されて出力されるため、RD DATA に示すように、MEMORY FULL がＬレベルとなった時点ｔ５の後においてもフォーマッタ４から電磁変換部６に実データが送られる。
【００６１】
実データの磁気テープ３００への記録が終了すると（時点ｔ６）、フォーマッタ４は所定量のダミーデータを電磁変換部６に送る。実データの磁気テープ３００への記録が終了し（時点ｔ６）、ダミーデータの記録が開始される時点から、ＣＴＬ信号のエンドマークの記録が開始される。
【００６２】
メイン制御部７は、MEMORY FULL がＬレベルとなった時点ｔ５の後、所定のタイミングで（時点ｔ７）、サブ制御部５を介して、フォーマッタ４に記録停止指令(STOP)を送る。フォーマッタ４は、記録停止指令を受信すると、停止状態となるとともに、VD RECをＬレベルにさせるので、電磁変換部６内のビデオヘッドによる磁気テープ３００への記録が停止せしめられる。
【００６３】
また、メイン制御部７は、フォーマッタ４が記録動作を停止するタイミング（時点ｔ８）で、MC ON をＬレベルにさせ、キャプスタンモータ１００を停止させる。また、メイン制御部７は、ＣＴＬ録再回路７ａによるＣＴＬ信号の磁気テープ３００への記録を停止させる。
【００６４】
なお、記録ボタンの押し下げ等に基づいて記録開始指令が入力されたときには、デジタルＶＴＲにセットさせれている磁気テープ３００へのデータの記録が可能であるか否かの判定が行われるが、この判定動作については後述する。
【００６５】
〔３〕再生動作についての説明
【００６６】
再生時には、電磁変換部６内のビデオヘッドによって磁気テープから１記録ブロック単位毎にデータが読み出される。読み取られたデータは、電磁変換部６内の再生アンプを介してフォーマッタ４に送られる。フォーマッタ４は、送られてきたデータに対して記録時とは逆の変換を行う。フォーマッタ４によって得られた実データ（付加情報、圧縮ビデオデータおよび圧縮オーディオデータ）は、バスライン８を通じて、メモリ３に書き込まれる。
【００６７】
メモリ３に１記録ブロック内の実データの全てが書き込まれると、ＣＰＵ５１からの読み出し命令により、ＦＰＧＡ５２によってメモリ３からデータが読み出される。メモリ３から読み出されたＱテーブルデータは圧縮／伸長器１３に、圧縮ビデオデータは圧縮／伸長器１３経由でメモリ１４の領域ＩＩＩに送られる。また、メモリ３から読み出された圧縮オーディオデータはＦＩＦＯメモリ２５に送られる。
【００６８】
メモリ１４の領域ＩＩＩに送られた圧縮ビデオデータはＱテーブルデータに基いて、圧縮／伸長器１３で伸長される。圧縮／伸長器１３による伸長処理後に得られた１フィールド単位のＹＵＶデジタルデータは、メモリ１４の領域Ｉ、ＩＩに交互に書き込まれる。
【００６９】
メモリ１４の領域Ｉ、ＩＩに書き込まれたＹＵＶデジタルデータは、圧縮／伸長器１３によって読み出されて、エンコーダ１２に送られる。エンコーダ１２は、ＹＵＶデジタルデータをＤ／Ａ変換した後、エンコードし、これによって得られたコンポジットビデオ信号およびＹ／Ｃコンポーネント信号を出力する。
【００７０】
一方、ＦＩＦＯメモリ２５に書き込まれた圧縮オーディオデータは、ＰＣＭエンコーダ／デコーダ２４によってデコードされ、Ｄ／Ａ変換器２３に送られる。Ｄ／Ａ変換器２３は、デジタルオーディオデータをＤ／Ａ変換し、得られたアナログオーディオ信号をフィルタ２１に出力する。フィルタ２１は、送られてきたアナログオーディオ信号から、Ｄ／Ａ変換器２３によるＤ／Ａ変換時に発生した高域のノイズ成分を除去して、得られたアナログオーディオ信号を出力する。
【００７１】
再生開始直後においては、メイン制御部７は、信号MC ON をＨレベルとして、キャプスタンモータ１００を駆動させる。これにより、磁気テープ３００から読み出されたデータがメモリ３に書き込まれていく。そして、磁気テープ３００からエンドマークが検出されるとメイン制御部７は、信号MC ON をＬレベルとして、キャプスタンモータ１００を停止させる。
【００７２】
キャプスタンモータ１００が駆動せしめられた後において、メモリ３にある程度のデータが蓄積されると、メモリ３からデータが順次読み出される。メモリ３から読み出されたＱテーブルデータおよび圧縮ビデオデータは、ビデオ処理部１に送られ、上述したような処理が行なわれて出力される。また、メモリ３から読み出された圧縮オーディオデータは、オーディオ処理部２に送られ、上述したような処理が行なわれて出力される。
【００７３】
図６は、再生時において、メモリ３に書き込まれた１記録ブロック内の実データ総量に相当するデータの全てが、メモリ３から読み出されたときの各部の信号を示している。
【００７４】
図６において、信号ENV は、再生時に磁気テープ３００から読み出されたデータを示している。また、信号PB Hは、内部のビデオ回路が再生画をメモリ３に取り込める状態となっていることを示す信号である。
【００７５】
メモリ３に書き込まれた１記録ブロック内の実データ総量に相当するデータの全てが、メモリ３から読み出されると、信号MEMORY FULL がＬレベルとなる。信号MEMORY FULL がＬレベルとなると（時点ｔ１１）、この後のSW TR の立ち下がりタイミングで（時点ｔ１２）、メイン制御部７は、信号MC ON をＨレベルにして、キャプスタンモータ１００を駆動させる。この後、ＣＴＬ録再回路７ａによるＣＴＬ信号の再生が開始する。
【００７６】
この後に、メイン制御部７は、ＣＴＬ信号からなるスタートマーク”１０１０１０１０”の”１０”を２度検出すると（時点ｔ１３）、サブ制御部５を介してフォーマッタ４に再生開始指令(PB 指令) を送るとともに、信号PB HをＨレベルにする。また、メイン制御部７は、サブ制御部５に送られているFORMATTER USE をＨレベルにさせる。
【００７７】
フォーマッタ４は、再生開始指令を受信すると、再生動作モードとなる。FORMATTER USE がＨレベルとなると、フォーマッタ４からメモリ３への実データの送信が開始される。メモリ３にある程度のデータが書き込まれると、メモリ３からデータが順次読み出される。
【００７８】
図７は、再生時において、メモリ３に１記録ブロック内の実データが書き込まれている途中において、ＣＴＬ信号からなるエンドマークが検出されたときの各部の信号を示している。
【００７９】
メモリ３に１記録ブロック内の実データが書き込まれている途中において、メイン制御部７がＣＴＬ信号からなるエンドマーク”１０１０１０１０”における”１０”を２度検出すると（時点ｔ１４）、メイン制御部７は、信号MC ON をＬレベルにして、キャプスタンモータ１００を停止させる。このため、記録ブロックの後側ダミーデータ部の途中で磁気テープ３００が停止せしめられる。
【００８０】
また、メイン制御部７は、エンドマーク”１０１０１０１０”における”１０”を２度検出した時点ｔ１４から後の所定のタイミングで（時点ｔ１５）、サブ制御部５を介してフォーマッタ４に再生停止指令(STOP 指令) を送るとともに、信号PB HをＬレベルにする。また、メイン制御部７は、サブ制御部５に送られているFORMATTER USE をＬレベルにさせる。
【００８１】
フォーマッタ４は、再生停止指令を受信すると、停止モードとなる。FORMATTER USE がＬレベルとなると、フォーマッタ４からメモリ３への実データの送信が停止せしめられる。
【００８２】
上記実施の形態によれば、記録ブロック単位毎にデータを記録するデジタルＶＴＲにおいて、記録時に、サーボ及びメカ系の安定する記録ブロックの開始点および記録ブロックの終了点とを、コントロールトラックにスタートマークおよびエンドマークとして記録しているため、記録ブロックの安定した記録再生が可能となる。またエンベロープが安定してからフォーマッタを動作させているので、フォーマッタの誤動作も防ぐことが可能となる。なおスタートマークと、エンドマークとはＣＴＬの比を変化させればどのような比率でも使用可能であることは言うまでもない。
【００８３】
〔４〕記録可否判定用情報に基づく記録可否判定についての説明
【００８４】
デジタルＶＴＲは、図示しない操作部を備えている。操作部には、記録開始指令を入力するための記録ボタン、単に磁気テープに対する記録可否をチェックしたい場合に操作される記録可否チェックボタンが設けられているものとする。
【００８５】
記録ボタンの押し下げ等に基づいて記録開始指令が入力されたとき、または記録可否チェックボタンの押し下げ等に基づいて磁気テープに対する記録可否チェック指令が入力された場合には、次のようにして磁気テープへのデータ記録が可能であるか否かの判定が行われる。
【００８６】
つまり、メイン制御部７は、数記録ブロックだけ磁気テープを巻き戻した後、再生動作を行って、記録可否判定用情報を読み出す。従来のように、記録可否判定用情報を読み出すために磁気テープをテープヘッドまで巻き戻す必要はない。
【００８７】
メイン制御部７は、記録可否判定用情報を取得すると、記録可否判定用情報に基づいて、現時点において当該磁気テープに対するデータ記録が可能であるか否かを判定し、その判定結果をデジタルＶＴＲにに接続されたモニタに表示する。
【００８８】
なお、記録開始指令が入力されたことに基づいて磁気テープへのデータ記録が可能であるか否かの判定を行った場合において、現時点において当該磁気テープに対するデータ記録が不可能であると判定した場合には、動作モードを当該磁気テープに対する記録動作を禁止するモードに設定する。
【００８９】
記録可能か否かの判定項目としては、保管期間の制限を満たしているか否か、繰り返し記録回数の制限を満たしているか否か、使用可能な記録機器のグループに関する制限を満たしているか否かの３種類がある。
【００９０】
保管期間の制限を満たしているか否かの判定は次のようにして行われる。つまり、記録可否判定用情報中の記録日時と保管期間の下限値とに基づいて、前回の記録日時から現在までの経過日数が、保管期間の下限値を越えているか否かを判定する。記録日時から現在までの経過日数が、保管期間の下限値を越えていれば、保管期間の制限を満たしていると判定する。
【００９１】
繰り返し記録回数の制限を満たしているか否かの判定は次のようにして行われる。つまり、記録可否判定用情報中の実際の繰り返し記録回数が、記録可否判定用情報中の繰り返し記録回数の上限値を越えているか否かを判定する。実際の繰り返し記録回数が繰り返し記録回数の上限値を越えていなければ、繰り返し記録回数の制限を満たしていると判定する。
【００９２】
使用可能な記録機器のグループに関する制限を満たしているか否かの判定は次のようにして行われる。つまり、記録可否判定用情報中の記録可能な機器のグループ番号と、当該記録機器のグループ番号とを比較し、両者が一致していれば記録機器のグループに対する制限を満たしていると判定する。
【００９３】
図８および図９は、記録可否のチェック結果の表示例を示している。
【００９４】
図８および図９において、"protect day" は保管期間の制限についての判定項目を示し、その右隣の分数の分母は保管期間の下限値を、分子は実際の保管日数を表している。さらにその右隣に、この判定項目に対する判定結果（ＯＫ  ｏｒ
ＮＧ）が表示されている。
【００９５】
"rec pass"は繰り返し記録回数の制限についての判定項目を示し、その右隣の分数の分母は繰り返し記録回数の上限値を、分子は実際の繰り返し記録回数を表している。さらにその右隣に、この判定項目に対する判定結果（ＯＫ  ｏｒ  ＮＧ）が表示されている。
【００９６】
" group"は使用可能な記録機器のグループに対する制限についての判定項目を示し、その右隣の分数の分母は記録可能な機器のグループ番号を、分子は当該記録機器のグループ番号を表している。さらにその右隣に、この判定項目に対する判定結果（ＯＫ  ｏｒ  ＮＧ）が表示されている。
【００９７】
図８の例では、全ての判定項目において使用制限を満たしているため、上部に判定結果（CHECK RESULT) として記録可能を意味する" ＯＫ" の文字が表示されている。この場合には、ユーザがREC キーを操作することにより、記録動作が開始される。
【００９８】
図９の例では、保管期間の制限を満たしていないため、上部に判定結果（CHECK RESULT) として記録不可能を意味する”ＮＧ" の文字が表示されている。この場合には、ユーザがEJECT キーを操作することにより、磁気テープがイジェクトされる。
【００９９】
【発明の効果】
この発明によれば、記録可否を判定する必要がある記録開始時や、単に記録可否をチェックしたい場合に、従来に比べて時間がかからなくなるようになる。
【図面の簡単な説明】
【図１】デシタルＶＴＲの構成を示すブロック図である。
【図２】磁気テープに記録される１フィールド分のデータに対するフォーマットを示す模式図である。
【図３】磁気テープに記録される１記録ブロックの構成および磁気テープのコントロールトラックに記録されるＣＴＬマーキングの構成を示す模式図である。
【図４】記録動作開始後に、メモリ３内に１記録ブロック内の実データ総量に相当するデータが書き込まれたときの各部の信号を示すタイミングチャートである。
【図５】記録時おいて、メモリ３から１記録ブロック内の実データ総量に相当するデータが全て読み出されたときの各部の信号を示すタイミングチャートである。
【図６】再生時において、メモリ３に書き込まれた１記録ブロック内の実データ総量に相当するデータの全てが、メモリ３から読み出されたときの各部の信号を示すタイミングチャートである。
【図７】再生時において、メモリ３に１記録ブロック内の実データが書き込まれている途中において、ＣＴＬ信号からなるエンドマークが検出されたときの各部の信号を示すタイミングチャートである。
【図８】記録可否のチェック結果の表示例であって、記録可能（ＯＫ）と判定された場合の表示例を示す模式図である。
【図９】記録可否のチェック結果の表示例であって、記録不可能（ＮＧ）と判定された場合の表示例を示す模式図である。
【符号の説明】
１  ビデオ処理部
２  オーディオ処理部
３  メモリ
４  フォーマッタ
５  サブ制御部
６  電磁変換部
７  メイン制御部
【図１】
0003796180.tif 000002
【図２】
0003796180.tif 000003
【図３】
0003796180.tif 000004
【図４】
0003796180.tif 000005
【図５】
0003796180.tif 000006
【図６】
0003796180.tif 000007
【図７】
0003796180.tif 000008
【図８】
0003796180.tif 000009
【図９】
0003796180.tif 000010